(57)【要約】【課題】扉ユニットの取外しおよび取付け作業が容易な貯氷庫を提供する。【解決手段】箱体に配設した扉ユニット２０は、開口部２８ａを形成した本体枠２８と、本体枠２８にスライド自在に配設されて開口部２８ａを開閉するスライド扉３２,３４とを備える。本体枠２８の下枠部３８に配設されてスライド扉３２,３４の下端部を支持する下レール４６と下枠部３８との間に、貯氷室側に開放する隙間６４が形成される。スロープ部材６６に、隙間６４に挿脱可能な挿入部６８が形成される。挿入部６８に、下レール４６の通孔６０と対応して挿通孔６８ａまたは切欠き部６８ｂが形成される。挿入部６８を隙間６４に挿入した状態で、通孔６０に挿通したネジ５２を挿通孔６８ａまたは切付き部６８ｂに挿通して下枠部３８の固定部材のネジ孔に螺挿することで、挿入部６８が下レール４６と下枠部３８とで挟持される。【選択図】図３
2011012920.tif 000002
【特許請求の範囲】
【請求項１】
貯氷室(14)が内部画成された箱体(12)の前面に、該箱体(12)の前面開口(12a)を塞ぐ扉ユニット(20)が着脱自在に配設され、該扉ユニット(20)は、前記貯氷室(14)に連通する開口部(28a)が開設された本体枠(28)と、該本体枠(28)に横方向にスライド自在に配設されて前記開口部(28a)を開閉するスライド扉(32,34)と、前記本体枠(28)における貯氷室側の面に配設され、前記本体枠(28)と前面開口(12a)における下側の開口縁との間を塞いで貯氷室側に向けて下方傾斜するスロープ部材(66)とを備える貯氷庫において、
前記本体枠(28)における開口部(28a)の下端縁に配設されて前記スライド扉(32,34)の下端部をスライド自在に支持する下レール(46)と開口部(28a)の下端縁との間に、貯氷室側に開放する隙間(64)が形成され、
前記スロープ部材(66)の上端縁には、前記隙間(64)に挿脱可能な挿入部(68)が形成され、
前記隙間(64)に挿入した挿入部(68)を、前記本体枠(28)の開口部(28a)内に操作部(52a)が臨む固定手段(52)で本体枠(28)に着脱自在に固定するよう構成した
ことを特徴とする貯氷庫。
【請求項２】
前記固定手段(52)は、前記下レール(46)を本体枠(28)に固定するネジであって、該ネジ(52)により固定される下レール(46)と本体枠(28)とで前記挿入部(68)が挟持されるよう構成した請求項１記載の貯氷庫。
【請求項３】
前記挿入部(68)には、前記下レール(46)に形成されて前記ネジ(52)が挿通される通孔(60)と対応する位置に挿通孔(68a)が形成されると共に、下レール(46)を本体枠(28)に固定する第２のネジ(52)と対応する位置に挿入側端縁で開放する切欠き部(68b)が形成され、前記隙間(64)に臨む第２のネジ(52)に切欠き部(68b)を嵌合するように該隙間(64)に挿入部(68)を挿入することで、前記挿通孔(68a)が対応する通孔(60)に整合するよう構成した請求項２記載の貯氷庫。
【発明の詳細な説明】
【技術分野】
【０００１】
この発明は、スライド扉を配設した貯氷庫に関するものである。
【背景技術】
【０００２】
所要形状の氷塊を連続的に製造する製氷機構を内部に備え、該製氷機構で製造された氷塊を貯氷室に貯留する貯氷庫(特許文献１参照)が、喫茶店やレストラン等の施設その他の厨房において好適に使用されている。貯氷庫は、前方および上方に開放する断熱構造の箱体の内部に貯氷室が画成されると共に、該貯氷室の内部上方に製氷機構が配設される。また箱体の前面に、該箱体の前面開口を塞ぐ扉ユニットが配設されると共に、箱体の上面には、該箱体の上面開口を塞ぐ天板が配設されている。扉ユニットには貯氷室に連通する開口部が開設されると共に、該開口部を開閉自在なスライド扉が配設され、該スライド扉をスライドして開放した開口部を介して貯氷室内の氷塊を取出すよう構成される。
【０００３】
前記貯氷庫では、箱体の前面開口の下端を構成する土手部と扉ユニットとの間から、該扉ユニットの内面(貯氷室側の面)に付着した結露水が外部に流出するのを防止するため、扉ユニットの内面に張出し部を設け、該張出し部に接着固定したスロープ部材を、前記土手部の上方を貯氷室内に向けて下方傾斜するように延出させ、扉ユニットの内面を流れる結露水をスロープ部材を介して貯氷室内に導くよう構成されている。
【先行技術文献】
【特許文献】
【０００４】
【特許文献１】実願平６−７３６７５号公報
【発明の概要】
【発明が解決しようとする課題】
【０００５】
前記貯氷庫では、扉ユニットのメンテナンスに際し、該扉ユニットを箱体から取外す場合がある。しかるに、前記スロープ部材は、土手部の上端より下方位置まで貯氷室内に延出しているため、扉ユニットを箱体から取外す際には、スロープ部材が土手部と干渉しないように前方に向けて斜めに引上げる必要がある。この場合に、前記天板が扉ユニットの上面側に被さっているため、該扉ユニットを斜めに引上げるためには、前もって箱体から天板を取外しておかなければならず、メンテナンス性に劣るものであった。しかも、アンダーカウンタータイプの貯氷庫では、天板の上面が作業台として使用されるため、天板自体を簡単に取外すことができない場合が多く、扉ユニットのメンテナンスは極めて煩雑となっていた。更に、スロープ部材は扉ユニットの内面下側に配設されているため、扉ユニットを引上げる際にスロープ部材が見え難く、スロープ部材を土手部に当てて破損させるおそれもある。また、扉ユニットの取付けに際しても、同様にスロープ部材を土手部に当てることなく作業を行なわなければならず、煩雑であった。
【０００６】
なお、前記張出し部にスロープ部材をネジ止めする構造とすれば、土手部と干渉するおそれのあるスロープ部材を取外すことができ、扉ユニットの取外しおよび取付け作業が簡単になる。しかるに、張出し部は扉ユニットにおける開口部より下方に位置し、貯氷室内側を向いているため、ネジの取外しや取付け作業が煩雑となる。また、スロープ部材における貯氷室側にネジの頭部が突出してしまい、スコップ等による氷塊の取出し時に引掛かるおそれがあると共に、掃除の邪魔となってゴミが溜り易い。
【０００７】
本発明は、従来の技術に内在する前記課題に鑑み、これらを好適に解決するべく提案されたものであって、扉ユニットの取外しおよび取付け作業が容易な貯氷庫を提供することを目的とする。
【課題を解決するための手段】
【０００８】
前記課題を克服し、所期の目的を達成するため、本願の請求項１に係る発明の貯氷庫は、
貯氷室が内部画成された箱体の前面に、該箱体の前面開口を塞ぐ扉ユニットが着脱自在に配設され、該扉ユニットは、前記貯氷室に連通する開口部が開設された本体枠と、該本体枠に横方向にスライド自在に配設されて前記開口部を開閉するスライド扉と、前記本体枠における貯氷室側の面に配設され、前記本体枠と前面開口における下側の開口縁との間を塞いで貯氷室側に向けて下方傾斜するスロープ部材とを備える貯氷庫において、
前記本体枠における開口部の下端縁に配設されて前記スライド扉の下端部をスライド自在に支持する下レールと開口部の下端縁との間に、貯氷室側に開放する隙間が形成され、
前記スロープ部材の上端縁には、前記隙間に挿脱可能な挿入部が形成され、
前記隙間に挿入した挿入部を、前記本体枠の開口部内に操作部が臨む固定手段で本体枠に着脱自在に固定するよう構成したことを特徴とする。
【０００９】
請求項１に係る発明によれば、扉ユニットに対してスロープ部材を着脱自在に配設したから、箱体に対する扉ユニットの取外しや取付けの作業が簡単になる。しかも、スロープ部材の挿入部を下レールと本体枠との間に画成した隙間に挿入して固定し得るから、該スロープ部材を固定するための専用の張出し部等を形成する必要はなく、本体枠の構成を簡略化することができる。また、固定手段を着脱操作するための操作部は開口部内に臨んで貯氷室内に突出しないから、氷塊の取出しの邪魔となることもない。
【００１０】
請求項２に係る発明では、前記固定手段は、前記下レールを本体枠に固定するネジであって、該ネジにより固定される下レールと本体枠とで前記挿入部が挟持されるよう構成したことを要旨とする。
請求項２に係る発明によれば、下レールを本体枠に固定するネジを利用してスロープ部材を固定することができるから、部品点数を低減してコストを低廉に抑えることができる。
【００１１】
請求項３に係る発明では、前記挿入部には、前記下レールに形成されて前記ネジが挿通される通孔と対応する位置に挿通孔が形成されると共に、下レールを本体枠に固定する第２のネジと対応する位置に挿入側端縁で開放する切欠き部が形成され、前記隙間に臨む第２のネジに切欠き部を嵌合するように該隙間に挿入部を挿入することで、前記挿通孔が対応する通孔に整合するよう構成したことを要旨とする。
請求項３に係る発明によれば、切欠き部を第２のネジに嵌合することで、通孔を挿通孔に整合し得るから、スロープ部材の固定作業が簡単になる。
【発明の効果】
【００１２】
本発明に係る貯氷庫によれば、扉ユニットの取外しおよび取付け作業が容易となる。
【図面の簡単な説明】
【００１３】
【図１】実施例に係る貯氷庫の全体斜視図である。
【図２】実施例に係る貯氷庫を示す要部縦断側面図である。
【図３】実施例に係る扉ユニットをスロープ部材を取外した状態で示す分解斜視図である。
【図４】実施例に係る扉ユニットの要部を示す縦断側面図である。
【発明を実施するための形態】
【００１４】
次に、本発明に係る貯氷庫につき、好適な実施例を挙げて、添付図面を参照しながら以下説明する。なお、以下の説明において、「前」、「後」、「左」、「右」とは、特に断りのない限り、図１に示すように貯氷庫を前側から見た状態で指称する。
【実施例】
【００１５】
図１は、実施例に係る貯氷庫１０を示すものであって、該貯氷庫１０の本体をなす断熱構造の箱体１２は、前方および上方に開放し、内部に貯氷室１４が画成されると共に、この貯氷室１４内の上部に氷塊を製造する製氷機構１６が配置されている。また箱体１２には、貯氷室１４の底部より下方に機械室１８が画成され、該機械室１８に、冷凍装置を構成する凝縮器，圧縮機，ファンモータ等の基礎部品や電装盤等(何れも図示せず)が配設され、前記製氷機構１６に配設されて冷凍装置を構成する蒸発器に冷媒を循環するよう構成される。
【００１６】
前記箱体１２の前面には、貯氷室１４に対応する前面開口１２ａを塞ぐ扉ユニット２０が着脱自在に配設されると共に、機械室１８に対応する前面開口を塞ぐ下部パネル２２が着脱自在に配設されている。また箱体１２の上面には、箱体１２の上方開口を塞ぐ天板２４が着脱自在に配設される。天板２４の前部は、扉ユニット２０の上面に被っており、貯氷庫１０の外観に凹凸が生じないようにしてある。貯氷室１４に対応して箱体１２に形成される前記前面開口１２ａの下側の開口縁は、図２に示す如く、貯氷室１４の底部から所定高さで立上がる土手部２６によって形成される。また土手部２６における貯氷室内側の面は、後方に向かうにつれて下方傾斜するよう形成される。
【００１７】
前記扉ユニット２０は、図３に示す如く、矩形状の開口部２８ａが開設された本体枠２８と、該本体枠２８の内周面(開口部２８ａの開口縁)に配設される枠状のレール部材３０と、該レール部材３０に左右方向(横方向)にスライド自在に配設される前後２枚のスライド扉３２,３４を備える。そして、扉ユニット２０は、図２に示す如く、開口部２８ａが前記土手部２６の上端縁より上方に臨む位置で本体枠２８が土手部２６の前面に当接する状態で箱体１２に配設されて、開口部２８ａの全体が貯氷室１４に連通するよう構成される。
【００１８】
前記本体枠２８は、上枠部３６、下枠部３８、左枠部４０および右枠部４２を相互に連結して構成される。また前記レール部材３０は、上レール４４、下レール４６、左レール４８および右レール５０を相互に連結して矩形枠状に形成されたものであって(図１参照)、本体枠２８の開口部２８ａに対して前側から嵌挿されて、４つのレール４４,４６,４８,５０が夫々対応する枠部３６,３８,４０,４２に複数のネジ(固定手段)５２を介して固定される。
【００１９】
前記レール部材３０の各レール４４,４６,４８,５０には、図２または図３に示す如く、前後方向に３つの仕切り５４,５４,５４が内方(開口部２８ａ側)に向けて延出するように形成され、これら３つの仕切り５４,５４,５４によって前後に２つの溝５６,５６が形成される。そして、上下のレール４４,４６に形成された２つの溝５６,５６に、スライド扉３２,３４の上下端部が夫々左右方向にスライド自在に支持されており、各スライド扉３２,３４を左右にスライドすることで開口部２８ａの対応する部分が開放するよう構成される。なお、左右のレール４８,５０に形成される溝５６,５６は、スライド扉３２,３４を閉成した際に対応する側端縁が入ることで貯氷室１４の密閉性を確保するべく機能する。
【００２０】
前記各レール４４,４６,４８,５０には、最後部に位置する仕切り５４より後方に所定長さで延出する固定部５８が、本体枠２８の内周面に沿って形成されている。上下のレール４４,４６の各固定部５８には、左右方向に離間して複数の通孔６０が上下方向に貫通するよう形成され、左右のレール４８,５０の各固定部５８には、上下方向に離間して複数の通孔６０が左右方向に貫通するよう形成される。そして、各通孔６０に開口部側から挿通したネジ５２を、本体枠２８における開口部側とは反対側の対応位置に設けた固定部材６２のネジ孔６２ａに夫々螺挿することで、レール部材３０が本体枠２８に位置決め固定される。本体枠２８にレール部材３０を固定した状態で、上レール４４と左右のレール４８,５０の各固定部５８が、本体枠２８の内周面に当接するのに対し、下レール４６の固定部５８と対応する下枠部３８の内周面(開口部２８ａの下端縁)との間には、貯氷室側に開放する隙間６４が左右方向の全長に亘って画成されるよう構成される(図４参照)。また各ネジ５２の頭部(操作部)５２ａは、レール部材３０を本体枠２８に固定した状態で、開口部２８ａ内に臨んで、前記貯氷室１４内には突出しないよう構成される。
【００２１】
実施例では、左右のレール４８,５０の各固定部５８に上下方向に離間して２つの通孔６０が形成されるのに対し、上下のレール４４,４６の各固定部５８には左右方向に離間して４つの通孔６０が形成されている。実施例では、下レール４６における４つの通孔６０の内、内側２つの通孔６０に挿通されるネジ５２に関しては、後述するスロープ部材６６の切欠き部６８ｂに嵌合するものであるので、特に区別する場合は第２のネジ５２と指称するものとする。
【００２２】
前記扉ユニット２０における貯氷室側の内面には、該扉ユニット２０の内面に付着して流下する結露水が前記土手部２６との間から外部に流出するのを防止するスロープ部材６６が着脱自在に配設される。このスロープ部材６６は、図３に示す如く、前記下レール４６と略同じ左右幅寸法で該下レール４６と平行に延在する挿入部６８と、該挿入部６８の後端縁に連設されて下方傾斜する傾斜部７０と、該傾斜部７０の左右両端に連設されて上方に立上がる側壁部７２,７２とから基本的に構成される。挿入部６８の上下厚み寸法は、下レール４６と下枠部３８との間に画成される前記隙間６４に挿脱可能な値に設定されている。なお、挿入部６８の厚みは、該挿入部６８を隙間６４に挿入した際に下レール４６および下枠部３８と密着するようになっているのが好ましい。
【００２３】
前記挿入部６８には、前記下レール４６に形成される左右の両外側に位置する２つの通孔６０,６０と対応する位置に、上下に貫通する挿通孔６８ａが夫々形成され、通孔６０に挿通された前記ネジ５２が挿通孔６８ａを介して前記固定部材６２のネジ孔６２ａに螺挿されるようになっている。また挿入部６８には、下レール４６に形成される内側に位置する２つの通孔６０,６０と対応する位置に、前端縁(隙間６４に対する挿入側端縁)で開放する切欠き部６８ｂが夫々形成されており、通孔６０に挿通されて固定部材６２のネジ孔６２ａに螺挿されている第２のネジ５２における隙間６４に臨む部分に、該切欠き部６８ｂが嵌合可能に構成される。そして、各切欠き部６８ｂが対応する第２のネジ５２に嵌合することで、各挿通孔６８ａが下レール４６の対応する通孔６０と上下方向に整合するよう構成されている。なお、切欠き部６８ｂは、前端縁に向かうにつれて開拡するよう形成されており、該切欠き部６８ｂに第２のネジ５２を容易に嵌合し得るよう構成される。
【００２４】
〔実施例の作用〕
次に、前述した実施例に係る貯氷庫の作用につき説明する。
【００２５】
前記扉ユニット２０に配設される前記スロープ部材６６は、図２に示す如く、前記下枠部３８と下レール４６との間の隙間６４を塞いで前記土手部２６の上側を傾斜部７０が貯氷室１４内に向けて下方傾斜するように延在し、該傾斜部７０の傾斜下端は土手部２６の上端より下方に臨んでいる。従って、扉ユニット２０における本体枠２８やスライド扉３２,３４の内面に付着した結露水は、該内面を流れて前記スロープ部材６６の傾斜部７０で案内されて貯氷室内に導びかれる。すなわち、扉ユニット２０における本体枠２８と土手部２６との対向面に結露水が侵入するのをスロープ部材６６で防ぐことができ、結露水が外部に流出するのは防止できる。
【００２６】
前記扉ユニット２０を箱体１２から取外してメンテナンスを行なう場合は、前記下レール４６を下枠部３８に固定している４つのネジ５２を弛める。このとき、左右の外側に位置する２つネジ５２,５２については、対応する通孔６０から抜き外す必要があるが、内側に位置する２つの第２のネジ５２,５２については対応する通孔６０から抜外す必要はなく、弛めた状態のままでよい。この状態で、前記スロープ部材６６の挿入部６８を隙間６４から貯氷室側へ引抜くことで、該スロープ部材６６は扉ユニット２０から取外される。
【００２７】
前記扉ユニット２０では、前記土手部２６と干渉するおそれのあるスロープ部材６６を取外すことで、前記箱体１２に対する本体枠２８の固定を解除した後、扉ユニット２０を真っ直ぐに前方に移動させることで箱体１２から取外すことができる。すなわち、前記天板２４の前部が扉ユニット２０の上面に被っている構成であっても、該天板２４を取外すことなく扉ユニット２０を簡単に取外すことができる。
【００２８】
メンテナンスが完了した前記扉ユニット２０を箱体１２に取付ける場合は、該扉ユニット２０を箱体１２の前面に対して前側から真っ直ぐに近接させて、本体枠２８を箱体１２の前面に当接させる。扉ユニット２０の本体枠２８を箱体１２に固定した後、前記スロープ部材６６の挿入部６８を、前記下レール４６と下枠部３８との間に画成されて貯氷室側に開放する隙間６４に、貯氷室側から挿入する。このとき、下レール４６における内側に位置する２つの通孔６０,６０に挿通されて隙間６４に臨む第２のネジ５２,５２に、挿入部６８の切欠き部６８ｂ,６８ｂを嵌合することで、該挿入部６８の各挿通孔６８ａが対応する通孔６０に整合する。この状態で、下レール４６における外側２つの通孔６０に挿通したネジ５２を対応する挿通孔６８ａに挿通して前記固定部材６２のネジ孔６２ａに螺挿すると共に、第２のネジ５２を締め付けることで、挿入部６８は下レール４６と下枠部３８とで挟持され、スロープ部材６６が本体枠２８に位置決め固定される。
【００２９】
すなわち、前記本体枠２８に対してスロープ部材６６を着脱自在に配設したから、扉ユニット２０を箱体１２に対して取外したり取付ける作業は、箱体１２の土手部２６に干渉するスロープ部材６６を取外した状態で行なうことができ、天板２４を取外す等の煩雑な作業を不要とし得る。また、扉ユニット２０の取外しや取付けに際して、スロープ部材６６が土手部２６に当たらないように慎重に作業を行なう必要はなく、作業が簡単になるばかりか、スロープ部材６６が破損等するのを防止し得る。
【００３０】
前記スロープ部材６６を固定するネジ５２における着脱操作するための頭部５２ａは、図２または図４に示す如く、下レール４６の上面側、すなわち開口部２８ａ内に臨んで貯氷室１４内には突出しないようになっているから、貯氷室１４からのスコップ等による氷塊の取出しに支障を来たすことはない。また、該ネジ５２は下レール４６を固定するネジとして使用されるものであるから、スロープ部材６６の固定のための専用のネジを不要として部品点数を低減し得ると共に、コストを低廉に抑えることができる。更に、スロープ部材６６を下レール４６と下枠部３８とで挟持固定する構成であるから、該スロープ部材６６を固定するための張出し部等を本体枠２８に形成する必要はなく、該本体枠２８の構成を簡略化することができる。更にまた、ネジ５２の頭部５２ａが貯氷室１４内側に突出しないから、掃除の邪魔となって貯氷室１４内側にゴミが溜り易くなることもない。
【００３１】
前記スロープ部材６６の挿入部６８に、前記固定部材６２のネジ孔６２ａに螺挿されている第２のネジ５２が嵌合可能な切欠き部６８ｂを形成してあるから、該切欠き部６８ｂに第２のネジ５２を嵌合するように挿入部６８を隙間６４に挿入するだけで、前記挿通孔６８ａを下レール４６の通孔６０に整合させることができる。すなわち、スロープ部材６６の取付けは、貯氷室内での作業となるが、切欠き部６８ｂと第２のネジ５２との嵌合により通孔６０と挿通孔６８ａとを整合し得るから、ネジ５２を挿通する作業が容易となる。しかも、スロープ部材６６を本体枠２８に固定した状態では、２つのネジ５２が挿通孔６８ａに挿通されているから、挿入部６８が下レール４６と下枠部３８との間から抜けることはない。
【００３２】
〔変更例〕
本願は前述した実施例の構成に限定されるものではなく、その他の構成を適宜に採用することができる。
１．下レールを固定するネジの数は、４つに限定されるものでなく、下レールおよびスロープ部材を確実に固定し得る数であればよい。
２．スロープ部材の挿入部に形成される挿通孔や切欠き部の数や位置は、実施例の構成に限定されるものでなく、適宜に変更可能である。
３．実施例では、矩形状のレール部材を本体枠に配設することで下レールと下枠部との間に隙間を画成するよう構成したが、単体の下レールを本体枠に配設する構成において、下レールまたは下枠部に隙間形成部を設け、第２のネジによって下レールを下枠部に仮止めした状態で、スロープ部材の挿入部が挿脱可能な隙間を下レールと下枠部との間に画成する構成を採用し得る。
４．実施例では、レール部材(下レール)を本体枠(下枠部)に固定するためのネジでスロープ部材の挿入部を共締めするよう構成したが、レール部材(下レール)に上下に貫通する切欠部を設け、該切欠部内に頭部が臨む専用のネジによって挿入部を本体枠(下枠部)に直接ネジ止め固定する構成を採用することができる。
５．実施例では、スロープ部材の挿入部を本体枠にネジによって着脱自在に固定するよう構成したが、挿入部を本体枠に着脱自在に固定する固定手段は、ネジに代えて嵌合式のピン等、その他公知の手段を採用することができ、着脱操作するための操作部が本体枠の開口部内に臨むものであればよい。
６．実施例では、貯氷庫として製氷機構を内部に備えたものを挙げたが、製氷機構を備えていない貯氷庫であってもい。
【符号の説明】
【００３３】
１２ 箱体，１２ａ 前面開口，１４ 貯氷室，２０ 扉ユニット，２８ 本体枠
２８ａ 開口部，３２ スライド扉，３４ スライド扉，４６ 下レール
５２ ネジ(固定手段),第２のネジ(固定手段)，５２ａ 頭部(操作部)，６０ 通孔
６４ 隙間，６６ スロープ部材，６８ 挿入部，６８ａ 挿通孔，６８ｂ 切欠き部
【図１】
2011012920.tif 000003
【図２】
2011012920.tif 000004
【図３】
2011012920.tif 000005
【図４】
2011012920.tif 000006